(57)【要約】【課題】迅速に、且つ、確実に、オートスキャンによるテレビジョン放送信号の周波数データを初期設定することができるテレビジョン受像機を提供する。【解決手段】一のチャンネルが選局されると、一の受信方式における周波数データのうち、当該一のチャンネルに対応する周波数データを設定して、当該周波数データに応じた周波数帯域内で、チューナ１２による当該一のチャンネルに対応するＴＶ放送信号の受信が成功したか否かを判断する判断プログラム１８３１を実行したＣＰＵ１８１と、ＴＶ放送信号の受信が成功しなかったと判断された場合に、当該周波数データに応じた周波数帯域内でのＴＶ放送信号の受信感度の傾向から、ＴＶ放送信号の受信が成功する受信方式を予測する予測プログラム１８３２を実行したＣＰＵ１８１と、を備え、判断プログラム１８３１を実行したＣＰＵ１８１は、当該予測された受信方式で、再度、判断を行うよう構成した。【選択図】図１
2007288332.tif 000002
【特許請求の範囲】
【請求項１】
テレビジョン放送信号を受信する受信手段と、
前記テレビジョン放送信号の受信方式毎のチャンネルの周波数データを記憶する周波数データ記憶手段と、
チャンネル毎に、前記受信手段により受信されるテレビジョン放送信号の周波数データの設定を行うオートスキャン手段と、を備え、
前記オートスキャン手段は、
一の受信方式を指定する指定手段と、
一のチャンネルが選局されると、前記周波数データ記憶手段に記憶された前記指定手段により指定された一の受信方式における周波数データのうち、当該一のチャンネルに対応する周波数データを設定して、当該周波数データに応じた周波数帯域内で、前記受信手段による当該一のチャンネルに対応するテレビジョン放送信号の受信が成功したか否かを判断する判断手段と、
前記判断手段によりテレビジョン放送信号の受信が成功したと判断された場合に、当該周波数データを、当該一のチャンネルに対応する周波数データとして記憶する記憶手段と、
前記判断手段によりテレビジョン放送信号の受信が成功しなかったと判断された場合に、当該周波数データに応じた周波数帯域内でのテレビジョン放送信号の受信感度の傾向から、テレビジョン放送信号の受信が成功する受信方式を予測する予測手段と、
当該オートスキャン手段による一の受信方式でのオートスキャンが第１所定数のチャンネルに対して実行された段階で、前記記憶手段に第２所定数以上のチャンネルに対応する周波数データが記憶されているか否かを判定する判定手段と、
前記判定手段により前記記憶手段に第２所定数以上のチャンネルに対応する周波数データが記憶されていないと判定された場合に、前記予測手段により予測された受信方式における周波数データが、前記判断手段により設定される旨を出力装置に通知させる通知制御手段と、
前記通知制御手段により制御された出力装置による通知に応答して、前記判断手段による前記予測手段により予測された受信方式における周波数データの設定を了承するか否かを指定する了承指定手段と、
当該オートスキャン手段による全ての受信方式でのオートスキャンが前記第１所定数のチャンネルに対して実行された段階で、前記記憶手段に前記第２所定数以上のチャンネルに対応する周波数データが記憶されていない場合には、その旨を前記出力装置に報知させる報知制御手段と、
を備え、
前記判断手段は、前記判定手段により前記記憶手段に第２所定数以上のチャンネルに対応する周波数データが記憶されていないと判定され、その後、前記了承指定手段により了承すると指定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することを特徴とするテレビジョン受像機。
【請求項２】
テレビジョン放送信号を受信する受信手段と、
前記テレビジョン放送信号の受信方式毎のチャンネルの周波数データを記憶する周波数データ記憶手段と、
チャンネル毎に、前記受信手段により受信されるテレビジョン放送信号の周波数データの設定を行うオートスキャン手段と、を備え、
前記オートスキャン手段は、
一のチャンネルが選局されると、前記周波数データ記憶手段に記憶された一の受信方式における周波数データのうち、当該一のチャンネルに対応する周波数データを設定して、当該周波数データに応じた周波数帯域内で、前記受信手段による当該一のチャンネルに対応するテレビジョン放送信号の受信が成功したか否かを判断する判断手段と、
前記判断手段によりテレビジョン放送信号の受信が成功したと判断された場合に、当該周波数データを、当該一のチャンネルに対応する周波数データとして記憶する記憶手段と、
前記判断手段によりテレビジョン放送信号の受信が成功しなかったと判断された場合に、当該周波数データに応じた周波数帯域内でのテレビジョン放送信号の受信感度の傾向から、テレビジョン放送信号の受信が成功する受信方式を予測する予測手段と、を備え、
前記判断手段は、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することを特徴とするテレビジョン受像機。
【請求項３】
請求項２に記載のテレビジョン受像機において、
前記オートスキャン手段は、
当該オートスキャン手段による一の受信方式でのオートスキャンが第１所定数のチャンネルに対して実行された段階で、前記記憶手段に第２所定数以上のチャンネルに対応する周波数データが記憶されているか否かを判定する判定手段を備え、
前記判断手段は、前記判定手段により前記記憶手段に第２所定数以上のチャンネルに対応する周波数データが記憶されていないと判定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することを特徴とするテレビジョン受像機。
【請求項４】
請求項２又は３に記載のテレビジョン受像機において、
前記オートスキャン手段は、
前記一の受信方式を指定する指定手段を備え、
前記判断手段は、前記指定手段により指定された一の受信方式における周波数データを、最初に設定することを特徴とするテレビジョン受像機。
【請求項５】
請求項３又は４に記載のテレビジョン受像機において、
前記オートスキャン手段は、
前記判定手段により前記記憶手段に第２所定数以上のチャンネルに対応する周波数データが記憶されていないと判定された場合に、前記予測手段により予測された受信方式における周波数データが、前記判断手段により設定される旨を出力装置に通知させる通知制御手段と、
前記通知制御手段により制御された出力装置による通知に応答して、前記判断手段による前記予測手段により予測された受信方式における周波数データの設定を了承するか否かを指定する了承指定手段と、を備え、
前記判断手段は、前記了承指定手段により了承すると指定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することを特徴とするテレビジョン受像機。
【請求項６】
請求項３〜５の何れか一項に記載のテレビジョン受像機において、
前記オートスキャン手段は、
当該オートスキャン手段による全ての受信方式でのオートスキャンが前記第１所定数のチャンネルに対して実行された段階で、前記記憶手段に前記第２所定数以上のチャンネルに対応する周波数データが記憶されていない場合には、その旨を出力装置に報知させる報知制御手段を備えることを特徴とするテレビジョン受像機。
【発明の詳細な説明】
【技術分野】
【０００１】
本発明は、テレビジョン受像機に関する。
【背景技術】
【０００２】
地上波放送や、ケーブルテレビジョン放送（以下、「ＣＡＴＶ放送」という）のテレビジョン放送信号（以下、「ＴＶ放送信号」という）が受信可能なテレビジョン受像機が知られている。
このようなテレビジョン受像機においては、例えば、ユーザにより選局されたチャンネルに対応するＴＶ放送信号をすばやく受信するために、例えば、チャンネルをチャンネル順（物理チャンネル順）にオートスキャンすることによって、ＴＶ放送信号に対応する周波数データ（例えば、中心周波数）を初期設定するようになっている。
【０００３】
地上波放送とＣＡＴＶ放送との両方のＴＶ放送信号が受信可能なテレビジョン受像機においては、例えば、地上波放送に応じた受信方式と、ＣＡＴＶ放送に応じた受信方式（例えば、ＳＴＤ（Standard Frequencies）、ＩＲＣ（Incremental Related Carriers）、ＨＲＣ（Harmonic Related Carriers）など）と、における周波数データをそれぞれ設定し、そのそれぞれの設定に対してチャンネルをスキャンして、ＴＶ放送信号の受信が成功したか否かを判断して、周波数データを初期設定する必要があり、時間がかかるという問題がある。
【０００４】
そして、初期設定後の通常動作時には、テレビジョン受像機は、ユーザにより選局されたチャンネルに対応する周波数データを設定して、ＴＶ放送信号を受信するようになっている。
しかしながら、誤った周波数データが初期設定される場合があり、通常動作時に、初期設定された周波数データを設定しても、ＴＶ放送信号が受信できないことがある。
【０００５】
そこで、例えば、受信方式（チャンネルプラン）が地上波放送（以下「受信方式「地上波放送」」という）のＴＶ放送信号と、受信方式がＮＯＲＭＡＬのＣＡＴＶ放送（以下、「受信方式「ＣＡＴＶ放送−ＮＯＲＭＡＬ」」という）のＴＶ放送信号と、受信方式がＨＲＣのＣＡＴＶ放送（以下、「受信方式「ＣＡＴＶ放送−ＨＲＣ」」という）のＴＶ放送信号と、が受信可能なテレビジョン受像機において、通常動作時に、周波数データを初期設定し直すことができるテレビジョン受像機が提案された（例えば、特許文献１参照）。
【０００６】
また、地上波デジタル放送のＴＶ放送信号が受信可能なテレビジョン受像機においては、地上波デジタル放送ではＴＶ放送信号の受信に際して地域性がでるため、オートスキャン時に得られる電波受信状態を示すＣ／Ｎ等に基づいて、テレビジョン受像機が設置された地域を推定することができるテレビジョン受像機（例えば、特許文献２及び３参照）や、２つの地上波デジタル放送地域が重なる領域では、同一の放送局からの放送が複数のチャンネルで受信できる可能性が生じるが、この可能性を防止することができるテレビジョン受像機（例えば、特許文献４参照）などが提案されている。
【特許文献１】実登録３０７７４３２号公報
【特許文献２】特開２００４−３１２２０４号公報
【特許文献３】特開２００４−３１２２０３号公報
【特許文献４】特開２００２−３２０１５２号公報
【発明の開示】
【発明が解決しようとする課題】
【０００７】
しかしながら、特許文献１〜４に記載のテレビジョン受像機では、複数の受信方式がある場合におけるオートスキャンのやり方そのものは何ら記載されていないので、周波数データの初期設定に時間がかかるという問題は解決できない。
また、フルオートで受信方式を判別してオートスキャンするテレビジョン受像機があるが、このようなテレビジョン受像機では、やみくもに受信方式を設定してオートスキャンするため、周波数データの初期設定に時間がかかるという問題は、依然として解決できない。
また、ユーザにより指定された受信方式のみを設定してオートスキャンするテレビジョン受像機があるが、このようなテレビジョン受像機では、ユーザが指定する受信方式を間違えれば、周波数データを初期設定することができない。
【０００８】
本発明の課題は、迅速に、且つ、確実に、オートスキャンによるテレビジョン放送信号の周波数データを初期設定することができるテレビジョン受像機を提供することにある。
【課題を解決するための手段】
【０００９】
上記課題を解決するために、請求項１に記載の発明は、
テレビジョン放送信号を受信する受信手段と、
前記テレビジョン放送信号の受信方式毎のチャンネルの周波数データを記憶する周波数データ記憶手段と、
チャンネル毎に、前記受信手段により受信されるテレビジョン放送信号の周波数データの設定を行うオートスキャン手段と、を備え、
前記オートスキャン手段は、
一の受信方式を指定する指定手段と、
一のチャンネルが選局されると、前記周波数データ記憶手段に記憶された前記指定手段により指定された一の受信方式における周波数データのうち、当該一のチャンネルに対応する周波数データを設定して、当該周波数データに応じた周波数帯域内で、前記受信手段による当該一のチャンネルに対応するテレビジョン放送信号の受信が成功したか否かを判断する判断手段と、
前記判断手段によりテレビジョン放送信号の受信が成功したと判断された場合に、当該周波数データを、当該一のチャンネルに対応する周波数データとして記憶する記憶手段と、
前記判断手段によりテレビジョン放送信号の受信が成功しなかったと判断された場合に、当該周波数データに応じた周波数帯域内でのテレビジョン放送信号の受信感度の傾向から、テレビジョン放送信号の受信が成功する受信方式を予測する予測手段と、
当該オートスキャン手段による一の受信方式でのオートスキャンが第１所定数のチャンネルに対して実行された段階で、前記記憶手段に第２所定数以上のチャンネルに対応する周波数データが記憶されているか否かを判定する判定手段と、
前記判定手段により前記記憶手段に第２所定数以上のチャンネルに対応する周波数データが記憶されていないと判定された場合に、前記予測手段により予測された受信方式における周波数データが、前記判断手段により設定される旨を出力装置に通知させる通知制御手段と、
前記通知制御手段により制御された出力装置による通知に応答して、前記判断手段による前記予測手段により予測された受信方式における周波数データの設定を了承するか否かを指定する了承指定手段と、
当該オートスキャン手段による全ての受信方式でのオートスキャンが前記第１所定数のチャンネルに対して実行された段階で、前記記憶手段に前記第２所定数以上のチャンネルに対応する周波数データが記憶されていない場合には、その旨を前記出力装置に報知させる報知制御手段と、
を備え、
前記判断手段は、前記判定手段により前記記憶手段に第２所定数以上のチャンネルに対応する周波数データが記憶されていないと判定され、その後、前記了承指定手段により了承すると指定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することを特徴とする。
【００１０】
請求項２に記載の発明は、
テレビジョン放送信号を受信する受信手段と、
前記テレビジョン放送信号の受信方式毎のチャンネルの周波数データを記憶する周波数データ記憶手段と、
チャンネル毎に、前記受信手段により受信されるテレビジョン放送信号の周波数データの設定を行うオートスキャン手段と、を備え、
前記オートスキャン手段は、
一のチャンネルが選局されると、前記周波数データ記憶手段に記憶された一の受信方式における周波数データのうち、当該一のチャンネルに対応する周波数データを設定して、当該周波数データに応じた周波数帯域内で、前記受信手段による当該一のチャンネルに対応するテレビジョン放送信号の受信が成功したか否かを判断する判断手段と、
前記判断手段によりテレビジョン放送信号の受信が成功したと判断された場合に、当該周波数データを、当該一のチャンネルに対応する周波数データとして記憶する記憶手段と、
前記判断手段によりテレビジョン放送信号の受信が成功しなかったと判断された場合に、当該周波数データに応じた周波数帯域内でのテレビジョン放送信号の受信感度の傾向から、テレビジョン放送信号の受信が成功する受信方式を予測する予測手段と、を備え、
前記判断手段は、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することを特徴とする。
【００１１】
請求項３に記載の発明は、
請求項２に記載のテレビジョン受像機において、
前記オートスキャン手段は、
当該オートスキャン手段による一の受信方式でのオートスキャンが第１所定数のチャンネルに対して実行された段階で、前記記憶手段に第２所定数以上のチャンネルに対応する周波数データが記憶されているか否かを判定する判定手段を備え、
前記判断手段は、前記判定手段により前記記憶手段に第２所定数以上のチャンネルに対応する周波数データが記憶されていないと判定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することを特徴とする。
【００１２】
請求項４に記載の発明は、
請求項２又は３に記載のテレビジョン受像機において、
前記オートスキャン手段は、
前記一の受信方式を指定する指定手段を備え、
前記判断手段は、前記指定手段により指定された一の受信方式における周波数データを、最初に設定することを特徴とする。
【００１３】
請求項５に記載の発明は、
請求項３又は４に記載のテレビジョン受像機において、
前記オートスキャン手段は、
前記判定手段により前記記憶手段に第２所定数以上のチャンネルに対応する周波数データが記憶されていないと判定された場合に、前記予測手段により予測された受信方式における周波数データが、前記判断手段により設定される旨を出力装置に通知させる通知制御手段と、
前記通知制御手段により制御された出力装置による通知に応答して、前記判断手段による前記予測手段により予測された受信方式における周波数データの設定を了承するか否かを指定する了承指定手段と、を備え、
前記判断手段は、前記了承指定手段により了承すると指定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することを特徴とする。
【００１４】
請求項６に記載の発明は、
請求項３〜５の何れか一項に記載のテレビジョン受像機において、
前記オートスキャン手段は、
当該オートスキャン手段による全ての受信方式でのオートスキャンが前記第１所定数のチャンネルに対して実行された段階で、前記記憶手段に前記第２所定数以上のチャンネルに対応する周波数データが記憶されていない場合には、その旨を出力装置に報知させる報知制御手段を備えることを特徴とする。
【発明の効果】
【００１５】
請求項１に記載の発明によれば、受信手段によって、テレビジョン放送信号を受信することができ、周波数データ記憶手段によって、テレビジョン放送信号の受信方式毎のチャンネルの周波数データを記憶することができ、オートスキャン手段によって、チャンネル毎に、前記受信手段により受信されるテレビジョン放送信号の周波数データの設定を行うことができる。
そして、オートスキャン手段は、指定手段によって、一の受信方式を指定することができ、判断手段によって、一のチャンネルが選局されると、前記周波数データ記憶手段に記憶された前記指定手段により指定された一の受信方式における周波数データのうち、当該一のチャンネルに対応する周波数データを設定して、当該周波数データに応じた周波数帯域内で、前記受信手段による当該一のチャンネルに対応するテレビジョン放送信号の受信が成功したか否かを判断することができ、記憶手段によって、前記判断手段によりテレビジョン放送信号の受信が成功したと判断された場合に、当該周波数データを、当該一のチャンネルに対応する周波数データとして記憶することができ、予測手段によって、前記判断手段によりテレビジョン放送信号の受信が成功しなかったと判断された場合に、当該周波数データに応じた周波数帯域内でのテレビジョン放送信号の受信感度の傾向から、テレビジョン放送信号の受信が成功する受信方式を予測することができ、判定手段によって、当該オートスキャン手段による一の受信方式でのオートスキャンが第１所定数のチャンネルに対して実行された段階で、前記記憶手段に第２所定数以上のチャンネルに対応する周波数データが記憶されているか否かを判定することができ、通知制御手段によって、前記判定手段により前記記憶手段に第２所定数以上のチャンネルに対応する周波数データが記憶されていないと判定された場合に、前記予測手段により予測された受信方式における周波数データが、前記判断手段により設定される旨を出力装置に通知させることができ、了承指定手段によって、前記通知制御手段により制御された出力装置による通知に応答して、前記判断手段による前記予測手段により予測された受信方式における周波数データの設定を了承するか否かを指定することができ、報知制御手段によって、当該オートスキャン手段による全ての受信方式でのオートスキャンが前記第１所定数のチャンネルに対して実行された段階で、前記記憶手段に前記第２所定数以上のチャンネルに対応する周波数データが記憶されていない場合には、その旨を前記出力装置に報知させることができる。
そして、前記判断手段は、前記判定手段により前記記憶手段に第２所定数以上のチャンネルに対応する周波数データが記憶されていないと判定され、その後、前記了承指定手段により了承すると指定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することができる。
【００１６】
すなわち、一の受信方式を設定して行う最初のオートスキャンで、テレビジョン放送信号の受信が成功しなかった場合には、当該オートスキャン時に予測した受信方式を設定して、再度、オートスキャンを行うことができる。したがって、テレビジョン放送信号の受信が成功するまで、やみくもに受信方式を設定してオートスキャンを繰り返す必要がなくなって、迅速に、且つ、確実に、テレビジョン放送信号の周波数データを初期設定することができる。
【００１７】
また、一の受信方式でのオートスキャンを全チャンネルのうちの第１所定数のチャンネルに対して実行した段階で、当該一の受信方式が正しかったか否かを判定することができるため、全チャンネルに対してオートスキャンを実行する場合よりも、誤りに早く対処することができる。
【００１８】
また、実際にテレビジョン放送信号の受信に成功したと判断されたチャンネル数が、例えば、正しく受信方式を設定した際にテレビジョン放送信号の受信に成功すると予定されるチャンネル数（第２所定数）以上であるか否かを判定することによって、当該一の受信方式が正しかったか否かを判定することができるため、偶然に成功したと判断されたものを排除することができる。したがって、より確実に、テレビジョン放送信号の周波数データを初期設定することができる。
【００１９】
また、ユーザは、テレビジョン受像機を設置した地域が何れの受信方式に対応するか知っている場合が多いが、そのユーザにより指定された一の受信方式を設定することができるため、フルオートでオートスキャンする場合よりも、迅速にテレビジョン放送信号の周波数データを初期設定できる可能性が高く、また、仮にユーザにより指定された受信方式が正しくなかったとしても、再度のオートスキャンによって、テレビジョン放送信号の周波数データを初期設定することができる。
【００２０】
また、ユーザは、再度のオートスキャンを行う際に設定される他の受信方式を知ることができ、ユーザは、了承する場合にのみ当該再度のオートスキャンを行わせることができる。したがって、ユーザは、テレビジョン受像機からの通知により、オートスキャンの状況を把握することができることとなって、その後の対応を容易に判断することができる。
【００２１】
また、全ての受信方式でのオートスキャンを第１所定数のチャンネルに対して実行した段階で、実際にテレビジョン放送信号の受信に成功したと判断されたチャンネル数が、例えば、正しく受信方式を設定した際にテレビジョン放送信号の受信に成功すると予定されるチャンネル数（第２所定数）以上でない場合には、その旨をユーザに報知することができる。したがって、ユーザは、テレビジョン受像機からの報知により、オートスキャンの状況を把握することができることとなって、その後の対応を容易に判断することができる。
【００２２】
請求項２に記載の発明によれば、受信手段によって、テレビジョン放送信号を受信することができ、周波数データ記憶手段によって、テレビジョン放送信号の受信方式毎のチャンネルの周波数データを記憶することができ、オートスキャン手段によって、チャンネル毎に、前記受信手段により受信されるテレビジョン放送信号の周波数データの設定を行うことができる。
そして、オートスキャン手段は、判断手段によって、一のチャンネルが選局されると、前記周波数データ記憶手段に記憶された一の受信方式における周波数データのうち、当該一のチャンネルに対応する周波数データを設定して、当該周波数データに応じた周波数帯域内で、前記受信手段による当該一のチャンネルに対応するテレビジョン放送信号の受信が成功したか否かを判断することができ、記憶手段によって、前記判断手段によりテレビジョン放送信号の受信が成功したと判断された場合に、当該周波数データを、当該一のチャンネルに対応する周波数データとして記憶することができ、予測手段によって、前記判断手段によりテレビジョン放送信号の受信が成功しなかったと判断された場合に、当該周波数データに応じた周波数帯域内でのテレビジョン放送信号の受信感度の傾向から、テレビジョン放送信号の受信が成功する受信方式を予測することができる。
そして、前記判断手段は、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することができる。
【００２３】
すなわち、一の受信方式を設定して行う最初のオートスキャンで、テレビジョン放送信号の受信が成功しなかった場合には、当該オートスキャン時に予測した受信方式を設定して、再度、オートスキャンを行うことができる。したがって、テレビジョン放送信号の受信が成功するまで、やみくもに受信方式を設定してオートスキャンを繰り返す必要がなくなって、迅速に、且つ、確実に、テレビジョン放送信号の周波数データを初期設定することができる。
【００２４】
請求項３に記載の発明によれば、請求項２に記載の発明と同様の効果が得られることは無論のこと、オートスキャン手段は、判定手段によって、当該オートスキャン手段による一の受信方式でのオートスキャンが第１所定数のチャンネルに対して実行された段階で、前記記憶手段に第２所定数以上のチャンネルに対応する周波数データが記憶されているか否かを判定することができる。
そして、前記判断手段は、前記判定手段により前記記憶手段に第２所定数以上のチャンネルに対応する周波数データが記憶されていないと判定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することができる。
【００２５】
すなわち、一の受信方式でのオートスキャンを全チャンネルのうちの第１所定数のチャンネルに対して実行した段階で、当該一の受信方式が正しかったか否かを判定することができるため、全チャンネルに対してオートスキャンを実行する場合よりも、誤りに早く対処することができる。
【００２６】
また、実際にテレビジョン放送信号の受信に成功したと判断されたチャンネル数が、例えば、正しく受信方式を設定した際にテレビジョン放送信号の受信に成功すると予定されるチャンネル数（第２所定数）以上であるか否かを判定することによって、当該一の受信方式が正しかったか否かを判定することができるため、偶然に成功したと判断されたものを排除することができる。したがって、より確実に、テレビジョン放送信号の周波数データを初期設定することができる。
【００２７】
請求項４に記載の発明によれば、請求項２又は３に記載の発明と同様の効果が得られることは無論こと、指定手段によって、一の受信方式を指定することができ、判断手段は、前記指定手段により指定された一の受信方式における周波数データを、最初に設定することができる。
【００２８】
すなわち、ユーザにより指定された一の受信方式を設定して、最初のオートスキャンを行うことができる。ユーザは、テレビジョン受像機を設置した地域が何れの受信方式に対応するか知っている場合が多いが、そのユーザにより指定された一の受信方式を設定することができるため、フルオートでオートスキャンする場合よりも、迅速にテレビジョン放送信号の周波数データを初期設定できる可能性が高く、また、仮にユーザにより指定された受信方式が正しくなかったとしても、再度のオートスキャンによって、テレビジョン放送信号の周波数データを初期設定することができる。
【００２９】
請求項５に記載の発明によれば、請求項３又は４に記載の発明と同様の効果が得られることは無論のこと、前記オートスキャン手段は、通知制御手段によって、前記判定手段により前記記憶手段に第２所定数以上のチャンネルに対応する周波数データが記憶されていないと判定された場合に、前記予測手段により予測された受信方式における周波数データが、前記判断手段により設定される旨を出力装置に通知させることができ、了承指定手段によって、前記通知制御手段により制御された出力装置による通知に応答して、前記判断手段による前記予測手段により予測された受信方式における周波数データの設定を了承するか否かを指定することができる。
そして、前記判断手段は、前記了承指定手段により了承すると指定された場合に、前記周波数データ記憶手段に記憶された前記予測手段により予測された受信方式における周波数データのうち、当該一のチャンネルに対応する周波数データを設定して、再度、テレビジョン放送信号の受信が成功したか否かを判断することができる。
【００３０】
すなわち、ユーザは、再度のオートスキャンを行う際に設定される他の受信方式を知ることができ、ユーザは、了承する場合にのみ当該再度のオートスキャンを行わせることができる。したがって、ユーザは、テレビジョン受像機からの通知により、オートスキャンの状況を把握することができることとなって、その後の対応を容易に判断することができる。
【００３１】
請求項６に記載の発明によれば、請求項３〜５の何れか一項に記載の発明と同様の効果が得られることは無論のこと、前記オートスキャン手段は、報知制御手段によって、当該オートスキャン手段による全ての受信方式でのオートスキャンが前記第１所定数のチャンネルに対して実行された段階で、前記記憶手段に前記第２所定数以上のチャンネルに対応する周波数データが記憶されていない場合には、その旨を出力装置に報知させることができる。
【００３２】
すなわち、全ての受信方式でのオートスキャンを第１所定数のチャンネルに対して実行した段階で、実際にテレビジョン放送信号の受信に成功したと判断されたチャンネル数が、例えば、正しく受信方式を設定した際にテレビジョン放送信号の受信に成功すると予定されるチャンネル数（第２所定数）以上でない場合には、その旨をユーザに報知することができる。したがって、ユーザは、テレビジョン受像機からの報知により、オートスキャンの状況を把握することができることとなって、その後の対応を容易に判断することができる。
【発明を実施するための最良の形態】
【００３３】
以下、図を参照して、本発明にかかるテレビジョン受像機の最良の形態を詳細に説明する。なお、発明の範囲は図示例に限定されない。
【００３４】
＜テレビジョン受像機の構成＞
まず、テレビジョン受像機１の構成について、図１を参照して説明する。
具体的には、テレビジョン受像機１は、例えば、アンテナ１１や図示しないケーブルテレビジョン回線（以下、「ＣＡＴＶ回線」という）と接続するチューナ１２と、復調器１３と、デコーダ１４と、ＯＳＤ回路１５と、操作部１６と、記憶部１７と、制御部１８と、などを備えて構成される。各部は、バス１０によって接続されている。
また、テレビジョン受像機１は、例えば、デコーダ１４を介して、音声出力部３１や映像表示部３２を有する出力装置３と接続している。
【００３５】
チューナ１２は、例えば、受信手段として、テレビジョン放送信号（以下、「ＴＶ放送信号」という）を受信する。
具体的には、チューナ１２は、例えば、アンテナ１１やＣＡＴＶ回線（図示省略）と接続しており、例えば、制御部１８から入力される制御信号に従って、アンテナ１１により受信されたＴＶ放送信号やＣＡＴＶ回線（図示省略）から送信されたＴＶ放送信号（ＣＡＴＶ放送信号）の中から、選局された一のチャンネルに対応する周波数帯域内に存在するＴＶ放送信号を受信する。そして、当該ＴＶ放送信号を中間周波信号に変調して、当該中間周波信号を復調器１３に出力する。
【００３６】
アンテナ１１は、例えば、受信方式「地上波放送」のＴＶ放送信号を受信する。
また、ＣＡＴＶ回線（図示省略）は、例えば、受信方式「ＣＡＴＶ放送−ＨＲＣ」のＴＶ放送信号と、受信方式「ＣＡＴＶ放送−ＳＴＤ」のＴＶ放送信号と、受信方式「ＣＡＴＶ放送−ＩＲＣ」のＴＶ放送信号と、を送信する。
【００３７】
復調器１３は、例えば、制御部１８から入力される制御信号に従って、チューナ１２から出力された中間周波信号に対して、デジタル復調や誤り訂正などの処理を施し、ストリーム（例えば、トランスポートストリーム）をデコーダ１４に出力する。
【００３８】
デコーダ１４は、例えば、制御部１８から入力される制御信号に従って、復調器１３から出力されたトランスポートストリームを解読して、当該トランスポートストリームを構成する各トランスポートパケットを判別し、選局された一のチャンネルの放送番組に関連するトランスポートパケットにかかるデータを、圧縮音声データと、圧縮映像データと、などに分離する。そして、当該圧縮音声データをデコードして、音声データを出力装置３が有する音声出力部３１に出力するとともに、当該圧縮映像データをデコードして、映像データを出力装置３が有する映像表示部３２に出力する。
【００３９】
出力装置３が有する音声出力部３１は、例えば、スピーカ機器等であり、例えば、デコーダ１４から出力された音声データに基づく音声を出力する。
【００４０】
出力装置３が有する映像表示部３２は、例えば、液晶表示機器等であり、例えば、デコーダ１４から出力された映像データに基づく映像や、デコーダ１４から出力されてＯＳＤ回路１５によりＯＳＤ表示信号（後述）が合成された映像データに基づく映像を表示する。
【００４１】
ＯＳＤ回路１５は、例えば、制御部１８から入力される制御信号に従って、出力装置３が有する映像表示部３２に所定のオンスクリーンディスプレイ（ＯＳＤ）表示させるためのＯＳＤ表示信号を、デコーダ１４から映像表示部３２に出力される映像データに合成する。
【００４２】
操作部１６は、例えば、テレビジョン受像機１の外面に備えられた操作ボタン（図示省略）や、テレビジョン受像機１用のリモートコントローラ（図示省略）及び当該リモートコントローラと通信可能なリモコン受信部（図示省略）などから構成されており、例えば、ユーザによって操作されて、当該操作に伴う各種信号を制御部１８に出力する。
具体的には、操作部１６は、例えば、指定手段として、ユーザが一の受信方式を指定する際に操作される。
また、操作部１６は、例えば、了承指定手段として、ユーザが通知制御プログラム１８３４を実行したＣＰＵ１８１（後述）により制御された出力装置３による通知に応答して、判断プログラム１８３１を実行したＣＰＵ１８１（後述）による予測プログラム１８３２を実行したＣＰＵ１８１（後述）により予測された受信方式における周波数データ（中心周波数Ｃ）の設定を了承するか否かを指定する際に操作される。
【００４３】
記憶部１７は、例えば、磁気的記憶媒体、光学的記憶媒体若しくは半導体メモリで構成されている。
具体的には、記憶部１７には、例えば、図１に示すように、全周波数データテーブル１７１と、チャンネルマップ１７２と、などが記憶されている。
【００４４】
全周波数データテーブル１７１は、例えば、周波数データ記憶手段として、ＴＶ放送信号の受信方式毎のチャンネルの周波数データ（中心周波数Ｃ）を記憶する。
具体的には、全周波数データテーブル１７１は、例えば、「受信方式「地上波放送」における周波数データテーブル」記憶領域と、「受信方式「ＣＡＴＶ放送−ＨＲＣ」における周波数データテーブル」記憶領域と、「受信方式「ＣＡＴＶ放送−ＳＴＤ」における周波数データテーブル」記憶領域と、「受信方式「ＣＡＴＶ放送−ＩＲＣ」における周波数データテーブル」記憶領域と、などを有している。
【００４５】
「受信方式「地上波放送」における周波数データテーブル」記憶領域は、例えば、物理チャンネル毎に、地上波放送のＴＶ放送信号の周波数データ（中心周波数Ｃ）を記憶している。
また、「受信方式「ＣＡＴＶ放送−ＨＲＣ」における周波数データテーブル」記憶領域は、例えば、物理チャンネル毎に、受信方式「ＣＡＴＶ放送−ＨＲＣ」のＴＶ放送信号の周波数データ（中心周波数Ｃ）を記憶している。
また、「受信方式「ＣＡＴＶ放送−ＳＴＤ」における周波数データテーブル」記憶領域は、例えば、物理チャンネル毎に、受信方式「ＣＡＴＶ放送−ＳＴＤ」のＴＶ放送信号の周波数データ（中心周波数Ｃ）を記憶している。
また、「受信方式「ＣＡＴＶ放送−ＩＲＣ」における周波数データテーブル」記憶領域は、例えば、物理チャンネル毎に、受信方式「ＣＡＴＶ放送−ＩＲＣ」のＴＶ放送信号の周波数データ（中心周波数Ｃ）を記憶している。
【００４６】
チャンネルマップ１７２は、例えば、記憶手段として、判断プログラム１８３１を実行したＣＰＵ１８１（後述）によりＴＶ放送信号の受信が成功したと判断された場合に、当該成功した際に設定していた周波数データ（中心周波数Ｃ）を、選局された一のチャンネルに対応する周波数データ（中心周波数Ｃ）として記憶する。
具体的には、チャンネルマップ１７２は、例えば、「物理チャンネル」記憶領域と、「周波数データ」記憶領域と、などを有している。
【００４７】
「物理チャンネル」記憶領域は、例えば、テレビジョン受像機１により受信可能な物理チャンネル（例えば、１〜１３５ｃｈ）を記憶している。
また、「周波数データ」記憶領域は、ＴＶ放送信号の受信が成功した際に設定していた周波数データ（中心周波数Ｃ）を記憶している。
【００４８】
制御部１８は、例えば、図１に示すように、ＣＰＵ（Central Processing Unit）１８１と、ＲＡＭ（Random Access Memory）１８２と、ＲＯＭ（Read Only Memory）１８３と、などを備えている。
【００４９】
ＣＰＵ１８１は、ＲＯＭ１８３に記憶されたテレビジョン受像機１用の各種処理プログラムに従って、各種の制御動作を行う。
【００５０】
ＲＡＭ１８２は、ＣＰＵ１８１によって実行される処理プログラムなどを展開するためのプログラム格納領域や、入力データや上記処理プログラムが実行される際に生じる処理結果などを格納するデータ格納領域などを備える。
【００５１】
ＲＯＭ１８３は、テレビジョン受像機１で実行可能なシステムプログラム、当該システムプログラムで実行可能な各種処理プログラム、これら各種処理プログラムを実行する際に使用されるデータ、ＣＰＵ１８１によって演算処理された各種結果のデータなどを記憶する。なお、プログラムは、コンピュータが読み取り可能なプログラムコードの形でＲＯＭ１８３に記憶されている。
具体的には、ＲＯＭ１８３は、例えば、判断プログラム１８３１と、予測プログラム１８３２と、判定プログラム１８３３と、通知制御プログラム１８３４と、報知制御プログラム１８３５と、などを記憶している。
【００５２】
ここで、例えば、チャンネル（物理チャンネル）順に、チャンネル（物理チャンネル）毎に、チューナ１２により受信されるＴＶ放送信号の周波数データ（中心周波数Ｃ）の設定を行うオートスキャン手段は、例えば、操作部１６と、チャンネルマップ１７２と、判断プログラム１８３１を実行したＣＰＵ１８１と、予測プログラム１８３２を実行したＣＰＵ１８１と、判定プログラム１８３３を実行したＣＰＵ１８１と、通知制御プログラム１８３４を実行したＣＰＵ１８１と、報知制御プログラム１８３５を実行したＣＰＵ１８１と、によって構成される。
【００５３】
判断プログラム１８３１は、例えば、一のチャンネル（物理チャンネル）が選局されると、全周波数データテーブル１７１に記憶されたユーザによる操作部１６の操作により指定された一の受信方式における周波数データテーブル中の周波数データ（中心周波数Ｃ）のうち、当該選局された一のチャンネルに対応する周波数データ（中心周波数Ｃ）を設定して、当該周波数データ（中心周波数Ｃ）に応じた周波数帯域Ｂ内で、チューナ１２による当該選局された一のチャンネルに対応するＴＶ放送信号の受信が成功したか否かを判断する機能を、ＣＰＵ１８１に実現させる。
【００５４】
具体的には、アンテナ１１により受信されたＴＶ放送信号やＣＡＴＶ回線（図示省略）により送信されたＴＶ放送信号は、横軸が周波数であり縦軸が電圧である図で表すと、例えば、図２に示すような波形を描く。ＴＶ放送信号の最大電圧値は、例えば、チャンネルやＴＶ放送信号の受信方式に関わらず略同一である。
例えば、ＴＶ放送信号のうちの、電圧値が最大電圧値の半分になる部分（以下、「ＴＶ放送信号の部分Ａ」という）が、周波数帯域Ｂ内で、チューナ１２により受信できれば、ＴＶ放送信号の受信が成功したことになる。
【００５５】
より具体的には、例えば、ユーザによる操作部１６の操作によって受信方式「ＣＡＴＶ放送−ＨＲＣ」が指定されたとする。そして、一のチャンネル（物理チャンネル）が選局されると、ＣＰＵ１８１は、例えば、全周波数データテーブル１７１が有する「受信方式「ＣＡＴＶ放送−ＨＲＣ」における周波数データテーブル」記憶領域に記憶された周波数データ（中心周波数Ｃ）の中から、当該選局された一のチャンネルに対応する周波数データ（中心周波数Ｃ）を取得して設定する。そして、ＣＰＵ１８１は、例えば、当該設定した周波数データ（中心周波数Ｃ）に応じた周波数帯域Ｂ内に、チューナ１２により受信されたＴＶ放送信号の部分Ａが存在する場合（例えば、図２（ａ）の場合）には、当該選局された一のチャンネルに対応するＴＶ放送信号の受信が成功したと判断し、当該設定した周波数データ（中心周波数Ｃ）に応じた周波数帯域Ｂ内に、チューナ１２により受信されたＴＶ放送信号の部分Ａが存在しない場合（例えば、図２（ｂ）の場合）には、当該選局された一のチャンネルに対応するＴＶ放送信号が成功していないと判断する。
【００５６】
また、判断プログラム１８３１は、例えば、判定プログラム１８３３を実行したＣＰＵ１８１によりチャンネルマップ１７２に第２所定数以上のチャンネルに対応する周波数データ（中心周波数Ｃ）が記憶されていないと判定され、その後、ユーザによる操作部１６の操作により判断プログラム１８３１を実行したＣＰＵ１８１による予測プログラム１８３２を実行したＣＰＵ１８１により予測された受信方式における周波数データ（中心周波数Ｃ）の設定を了承すると指定された場合に、全周波数データテーブル１７１に記憶された予測プログラム１８３２を実行したＣＰＵ１８１により予測された受信方式における周波数データテーブル中の周波数データ（中心周波数Ｃ）のうち、当該選局された一のチャンネル（物理チャンネル）に対応する周波数データ（中心周波数Ｃ）を設定して、再度、ＴＶ放送信号の受信が成功したか否かを判断する機能を、ＣＰＵ１８１に実現させる。
【００５７】
すなわち、ＣＰＵ１８１は、例えば、最初に、ユーザによる操作部１６の操作により指定された一の受信方式における周波数データ（中心周波数Ｃ）を設定し、次いで、予測プログラム１８３２を実行したＣＰＵ１８１により予測された受信方式における周波数データ（中心周波数Ｃ）を設定する。
ＣＰＵ１８１は、かかる判断プログラム１８３１を実行することによって、判断手段として機能する。
【００５８】
予測プログラム１８３２は、例えば、判断プログラム１８３１を実行したＣＰＵ１８１によりＴＶ放送信号の受信が成功しなかったと判断された場合に、設定された周波数データ（中心周波数Ｃ）に応じた周波数帯域Ｂ内でのＴＶ放送信号の受信感度の傾向から、ＴＶ放送信号の受信が成功する受信方式を予測して、当該予測結果をＲＡＭ１８２に記憶させる機能を、ＣＰＵ１８１に実現させる。
【００５９】
具体的には、ＣＰＵ１８１は、例えば、設定された周波数データ（中心周波数Ｃ）に応じた周波数帯域Ｂ内でのＴＶ放送信号の電圧値が、最大電圧値の半分の値よりも大きい値を示すか、或いは、最大電圧値の半分の値よりも小さい値を示すかによって、ＴＶ放送信号の受信が成功する受信方式を予測する。
【００６０】
例えば、一のチャンネル（物理チャンネル）に割り当てられた周波数帯域の幅は６ＭＨｚであり、当該６ＭＨｚ中に、当該一のチャンネルに対応する受信方式「ＣＡＴＶ放送−ＨＲＣ」のＴＶ放送信号の部分Ａ（Ａ１）、当該一のチャンネルに対応する受信方式「ＣＡＴＶ放送−ＳＴＤ」のＴＶ放送信号の部分Ａ（Ａ２）又は当該一のチャンネルに対応する受信方式「ＣＡＴＶ放送−ＩＲＣ」のＴＶ放送信号の部分Ａ（Ａ３）が存在する。
なお、ＴＶ放送信号の部分Ａに相当する周波数値は、例えば、図３に示すように、受信方式「ＣＡＴＶ放送−ＨＲＣ」のＴＶ放送信号の部分Ａ１＜受信方式「ＣＡＴＶ放送−ＳＴＤ」のＴＶ放送信号の部分Ａ２＜受信方式「ＣＡＴＶ放送−ＩＲＣ」のＴＶ放送信号の部分Ａ３の順に大きい。したがって、周波数データ（中心周波数Ｃ）の値も、受信方式「ＣＡＴＶ放送−ＨＲＣ」＜受信方式「ＣＡＴＶ放送−ＳＴＤ」＜受信方式「ＣＡＴＶ放送−ＩＲＣ」の順に大きい。
【００６１】
具体的には、例えば、図４に示すように、受信方式「ＣＡＴＶ放送−ＨＲＣ」における周波数データ（中心周波数Ｃ）が設定されたとする。
そして、例えば、図４の実線で示す波形を描くＴＶ放送信号が受信された場合には、周波数帯域Ｂ（Ｂ１）内に、ＴＶ放送信号の部分Ａ１が存在するので、判断プログラム１８３１を実行したＣＰＵ１８１によりＴＶ放送信号の受信が成功したと判断される。
また、例えば、図４の破線で示す波形を描くＴＶ放送信号が受信された場合には、周波数帯域Ｂ（Ｂ１）内でのＴＶ放送信号（Ｄ２ａ）の電圧値が、ＴＶ放送信号の部分Ａ１の電圧値（最大電圧値の半分の値）よりも大きい値を示すので、ＣＰＵ１８１は、ＴＶ放送信号の受信が成功する受信方式を、受信方式「ＣＡＴＶ放送−ＳＴＤ」と予測する。
また、例えば、図４の二点鎖線で示す波形を描くＴＶ放送信号が受信された場合には、周波数帯域Ｂ（Ｂ１）内に、ＴＶ放送信号が存在しないので、ＣＰＵ１８１は、ＴＶ放送信号の受信が成功する受信方式を、受信方式「ＣＡＴＶ放送−ＩＲＣ」と予測する。
【００６２】
また、例えば、図５に示すように、受信方式「ＣＡＴＶ放送−ＳＴＤ」における周波数データ（中心周波数Ｃ）が設定されたとする。
そして、例えば、図５の実線で示す波形を描くＴＶ放送信号が受信された場合には、周波数帯域Ｂ（Ｂ２）内でのＴＶ放送信号（Ｄ１ｂ）の電圧値が、ＴＶ放送信号の部分Ａ２の電圧値（最大電圧値の半分の値）よりも小さい値を示すので、ＣＰＵ１８１は、ＴＶ放送信号の受信が成功する受信方式を、受信方式「ＣＡＴＶ放送−ＨＲＣ」と予測する。
また、例えば、図５の破線で示す波形を描くＴＶ放送信号が受信された場合には、周波数帯域Ｂ（Ｂ２）内に、ＴＶ放送信号の部分Ａ２が存在するので、判断プログラム１８３１を実行したＣＰＵ１８１によりＴＶ放送信号の受信が成功したと判断される。
また、例えば、図５の二点鎖線で示す波形を描くＴＶ放送信号が受信された場合には、周波数帯域Ｂ（Ｂ２）内でのＴＶ放送信号（Ｄ３ｂ）の電圧値が、ＴＶ放送信号の部分Ａ２の電圧値（最大電圧値の半分の値）よりも大きい値を示すので、ＣＰＵ１８１は、ＴＶ放送信号の受信が成功する受信方式を、受信方式「ＣＡＴＶ放送−ＩＲＣ」と予測する。
【００６３】
また、例えば、図６に示すように、受信方式「ＣＡＴＶ放送−ＩＲＣ」における周波数データ（中心周波数Ｃ）が設定されたとする。
そして、例えば、図６の実線で示す波形を描くＴＶ放送信号が受信された場合には、周波数帯域Ｂ（Ｂ３）内に、ＴＶ放送信号が存在しないので、ＣＰＵ１８１は、ＴＶ放送信号の受信が成功する受信方式を、受信方式「ＣＡＴＶ放送−ＨＲＣ」と予測する。
また、例えば、図６の破線で示す波形を描くＴＶ放送信号が受信された場合には、周波数帯域Ｂ（Ｂ３）内でのＴＶ放送信号（Ｄ２ｃ）の電圧値が、ＴＶ放送信号の部分Ａ３の電圧値（最大電圧値の半分の値）よりも小さい値を示すので、ＣＰＵ１８１は、ＴＶ放送信号の受信が成功する受信方式を、受信方式「ＣＡＴＶ放送−ＳＴＤ」と予測する。
また、例えば、図６の二点鎖線で示す波形を描くＴＶ放送信号が受信された場合には、周波数帯域Ｂ（Ｂ３）内に、ＴＶ放送信号の部分Ａ３が存在するので、判断プログラム１８３１を実行したＣＰＵ１８１によりＴＶ放送信号の受信が成功したと判断される。
ＣＰＵ１８１は、かかる予測プログラム１８３２を実行することによって、予測手段として機能する。
【００６４】
判定プログラム１８３３は、例えば、一の受信方式でのオートスキャンが第１所定数のチャンネルに対して実行された段階で、チャンネルマップ１７２に第２所定数以上のチャンネルに対応する周波数データ（中心周波数Ｃ）が記憶されているか否かを判定する機能を、ＣＰＵ１８１に実現させる。
【００６５】
具体的には、第１所定数は、例えば、テレビジョン受像機１により受信可能なチャンネル（例えば、物理チャンネル  １〜１３５ｃｈ）の総数より小さい数であり、任意に設定可能である。
また、第２所定数は、例えば、一の受信方式でのオートスキャンが第１所定数のチャンネルに対して実行された段階で、正しく受信方式を設定した際にＴＶ放送信号の受信に成功すると予定されるチャンネル数であり、任意に設定可能である。
ＣＰＵ１８１は、かかる判定プログラム１８３３を実行することによって、判定手段として機能する。
【００６６】
通知制御プログラム１８３４は、例えば、ＯＳＤ回路１５を介して、判定プログラム１８３３を実行したＣＰＵ１８１によりチャンネルマップ１７２に第２所定数以上のチャンネルに対応する周波数データ（中心周波数Ｃ）が記憶されていないと判定された場合に、予測プログラム１８３２を実行したＣＰＵ１８１により予測された受信方式における周波数データ（中心周波数Ｃ）が、判断プログラム１８３１を実行したＣＰＵ１８１により設定される旨を出力装置３（映像表示部３２）に通知させる機能を、ＣＰＵ１８１に実現させる。
ＣＰＵ１８１は、かかる通知制御プログラム１８３４を実行することによって、通知制御手段として機能する。
【００６７】
報知制御プログラム１８３５は、例えば、ＯＳＤ回路１５を介して、全ての受信方式でのオートスキャンが第１所定数のチャンネルに対して実行された段階で、チャンネルマップ１７２に第２所定数以上のチャンネルに対応する周波数データ（中心周波数Ｃ）が記憶されていない場合には、その旨を出力装置３に報知させるとともに、例えば、チューナ１２とアンテナ１１やＣＡＴＶ回線（図示省略）との接続確認要求を出力装置３（映像表示部３２）に報知させる機能を、ＣＰＵ１８１に実現させる。
ＣＰＵ１８１は、かかる報知制御プログラム１８３５を実行することによって、報知制御手段として機能する。
【００６８】
＜テレビジョン受像機による処理＞
次に、テレビジョン受像機１による処理について説明する。
【００６９】
（周波数データ初期設定／予測処理）
まず、テレビジョン受像機１による周波数データ（中心周波数Ｃ）の初期設定又は予測に関する処理について、図７のフローチャートを参照して説明する。
【００７０】
一のチャンネルを選局すると（ステップＳ１１）、ＣＰＵ１８１は、判断プログラム１８３１を実行して、全周波数データテーブル１７１に記憶された、ＲＡＭ１８２内の「設定する受信方式」記憶領域（後述）に設定された一の受信方式（受信方式「ＣＡＴＶ放送−ＨＲＣ」、受信方式「ＣＡＴＶ放送−ＳＴＤ」又は受信方式「ＣＡＴＶ放送−ＩＲＣ」）における周波数データテーブル中の周波数データ（中心周波数Ｃ）のうち、ステップＳ１１で選局した一のチャンネルに対応する周波数データ（中心周波数Ｃ）を設定して（ステップＳ１２）、当該周波数データ（中心周波数Ｃ）に応じた周波数帯域Ｂ内で、チューナ１２によるステップＳ１１で選局した一のチャンネルに対応するＴＶ放送信号の受信が成功したか否かを判断する（ステップＳ１３）。
【００７１】
ステップＳ１３で、ステップＳ１１で選局した一のチャンネルに対応するＴＶ放送信号の受信が成功したと判断すると（ステップＳ１３；Ｙｅｓ）、ＣＰＵ１８１は、ステップＳ１２で設定した周波数データ（中心周波数Ｃ）を、ステップＳ１１で選局した一のチャンネルに対応する周波数データ（中心周波数Ｃ）として、チャンネルマップ１７２に記憶させることによって、ステップＳ１１で選局した一のチャンネルに対応する周波数データ（中心周波数Ｃ）を初期設定し（ステップＳ１４）、本処理を終了する。
【００７２】
一方、ステップＳ１３で、ステップＳ１１で選局した一のチャンネルに対応するＴＶ放送信号の受信が成功しなかったと判断すると（ステップＳ１３；Ｎｏ）、ＣＰＵ１８１は、予測プログラム１８３２を実行して、ステップＳ１２で設定した周波数データ（中心周波数Ｃ）に応じた周波数帯域Ｂ内でのＴＶ放送信号の受信感度の傾向から、ＴＶ放送信号の受信が成功する受信方式を予測し（ステップＳ１５）、当該予測結果をＲＡＭ１８２に記憶させ、本処理を終了する。
【００７３】
（周波数データ初期設定処理）
まず、テレビジョン受像機１による周波数データ（中心周波数Ｃ）の初期設定に関する処理について、図８のフローチャートを参照して説明する。
【００７４】
一のチャンネルを選局すると（ステップＳ２１）、ＣＰＵ１８１は、判断プログラム１８３１を実行して、全周波数データテーブル１７１に記憶された、ＲＡＭ１８２内の「設定する受信方式」記憶領域（後述）に設定された一の受信方式（受信方式「地上波放送」）における周波数データテーブル中の周波数データ（中心周波数Ｃ）のうち、ステップＳ２１で選局した一のチャンネルに対応する周波数データ（中心周波数Ｃ）を設定して（ステップＳ２２）、当該周波数データ（中心周波数Ｃ）に応じた周波数帯域Ｂ内で、チューナ１２によるステップＳ２１で選局した一のチャンネルに対応するＴＶ放送信号の受信が成功したか否かを判断する（ステップＳ２３）。
【００７５】
ステップＳ２３で、ステップＳ２１で選局した一のチャンネルに対応するＴＶ放送信号の受信が成功したと判断すると（ステップＳ２３；Ｙｅｓ）、ＣＰＵ１８１は、ステップＳ２２で設定した周波数データ（中心周波数Ｃ）を、ステップＳ２１で選局した一のチャンネルに対応する周波数データ（中心周波数Ｃ）として、チャンネルマップ１７２に記憶させることによって、ステップＳ２１で選局した一のチャンネルに対応する周波数データ（中心周波数Ｃ）を初期設定し（ステップＳ２４）、本処理を終了する。
【００７６】
一方、ステップＳ２３で、ステップＳ２１で選局した一のチャンネルに対応するＴＶ放送信号の受信が成功しなかったと判断すると（ステップＳ２３；Ｎｏ）、ＣＰＵ１８１は、本処理を終了する。
【００７７】
（オートスキャン処理）
次に、テレビジョン受像機１によるオートスキャンに関する処理について、図９〜１２のフローチャートを参照して説明する。
【００７８】
まず、ユーザによる操作部１６の操作によって、オートスキャンを実行するよう指示され、一の受信方式が指定されると（ステップＳ３１）、ＣＰＵ１８１は、ステップＳ３１で指定された一の受信方式が受信方式「地上波放送」であるか否かを判断する（ステップＳ３２）。
【００７９】
ステップＳ３２で、ステップＳ３１で指定された一の受信方式が受信方式「地上波放送」でないと判断すると（ステップＳ３２；Ｎｏ）、ＣＰＵ１８１は、ステップＳ３１で指定された一の受信方式を、ＲＡＭ１８２内の「設定する受信方式」記憶領域に設定するとともに（ステップＳ３３）、ＲＡＭ１８２内の「設定済み受信方式」記憶領域に記憶させる（ステップＳ３４）。
【００８０】
次いで、ＣＰＵ１８１は、第１所定数のチャンネルに対して、ループＡの処理を行う（ステップＳ３５〜Ｓ３７）。
具体的には、ループＡの処理では、ＣＰＵ１８１は、周波数データ初期設定／予測処理（図７）を実行する。
【００８１】
次いで、第１所定数のチャンネルに対するループＡの処理が終了すると、ＣＰＵ１８１は、判定プログラム１８３３を実行して、チャンネルマップ１７２に第２所定数以上のチャンネルに対応する周波数データ（中心周波数Ｃ）が記憶されているか否かを判定する（ステップＳ３８）。
【００８２】
ステップＳ３８で、チャンネルマップ１７２に第２所定数以上のチャンネルに対応する周波数データ（中心周波数Ｃ）が記憶されていると判断すると（ステップＳ３８；Ｙｅｓ）、ＣＰＵ１８１は、ステップＳ５８の処理に移行する。
【００８３】
一方、ステップＳ３８で、チャンネルマップ１７２に第２所定数以上のチャンネルに対応する周波数データ（中心周波数Ｃ）が記憶されていないと判断すると（ステップＳ３８；Ｎｏ）、ＣＰＵ１８１は、ＣＡＴＶ放送に関する全ての受信方式（受信方式「ＣＡＴＶ放送−ＨＲＣ」、受信方式「ＣＡＴＶ放送−ＳＴＤ」及び受信方式「ＣＡＴＶ放送−ＩＲＣ」）がＲＡＭ１８２内の「設定済み受信方式」記憶領域に記憶されているか否かを判断する（ステップＳ３９）。
【００８４】
ステップＳ３９で、ＣＡＴＶ放送に関する全ての受信方式がＲＡＭ１８２内の「設定済み受信方式」記憶領域に記憶されていないと判断すると（ステップＳ３９；Ｎｏ）、ＣＰＵ１８１は、通知制御プログラム１８３４を実行して、ＯＳＤ回路１５を介して、ループＡの処理での周波数データ初期設定／予測処理（図７）のステップＳ１５で予測された受信方式における周波数データテーブル中の周波数データ（中心周波数Ｃ）を設定してオートスキャンする旨を、出力装置３（映像表示部３２）に通知させる（ステップＳ４０）。
【００８５】
次いで、ＣＰＵ１８１は、ステップＳ４０での通知に応答して、ユーザによる操作部１６の操作により、ステップＳ１５で予測された受信方式における周波数データテーブル中の周波数データ（中心周波数Ｃ）の設定を了承すると指定されたか否かを判断する（ステップＳ４１）。
【００８６】
ステップＳ４１で、ユーザによる操作部１６の操作により、了承すると指定されていないと判断すると（ステップＳ４１；Ｎｏ）、すなわち、ユーザによる操作部１６の操作により、了承しないと指定されたと判断すると、ＣＰＵ１８１は、本処理を終了する。
【００８７】
一方、ステップＳ４１で、ユーザによる操作部１６の操作により、了承すると指定されたと判断すると（ステップＳ４１；Ｙｅｓ）、ＣＰＵ１８１は、ステップＳ１５で予測された一の受信方式を、ＲＡＭ１８２内の「設定する受信方式」記憶領域に設定するとともに（ステップＳ４２）、ＲＡＭ１８２内の「設定済み受信方式」記憶領域に記憶させ（ステップＳ４３）、ステップＳ３５以降の処理を繰り返して行う。
【００８８】
また、ステップＳ３９で、ＣＡＴＶ放送に関する全ての受信方式がＲＡＭ１８２内の「設定済み受信方式」記憶領域に記憶されていると判断すると（ステップＳ３９；Ｙｅｓ）、ＣＰＵ１８１は、通知制御プログラム１８３４を実行して、ＯＳＤ回路１５を介して、受信方式「地上波放送」における周波数データテーブル中の周波数データ（中心周波数Ｃ）を設定してオートスキャンする旨を、出力装置３（映像表示部３２）に通知させる（ステップＳ４４）。
【００８９】
次いで、ＣＰＵ１８１は、ステップＳ４４での通知に応答して、ユーザによる操作部１６の操作により、受信方式「地上波放送」における周波数データテーブル中の周波数データ（中心周波数Ｃ）の設定を了承すると指定されたか否かを判断する（ステップＳ４５）。
【００９０】
ステップＳ４５で、ユーザによる操作部１６の操作により、了承すると指定されていないと判断すると（ステップＳ４５；Ｎｏ）、すなわち、ユーザによる操作部１６の操作により、了承しないと指定されたと判断すると、ＣＰＵ１８１は、本処理を終了する。
【００９１】
一方、ステップＳ４５で、ユーザによる操作部１６の操作により、了承すると指定されたと判断すると（ステップＳ４５；Ｙｅｓ）、ＣＰＵ１８１は、受信方式「地上波放送」を、ＲＡＭ１８２内の「設定する受信方式」記憶領域に設定する（ステップＳ４６）。
【００９２】
次いで、ＣＰＵ１８１は、第１所定数のチャンネルに対して、ループＢの処理を行う（ステップＳ４７〜Ｓ４９）。
具体的には、ループＢの処理では、ＣＰＵ１８１は、周波数データ初期設定処理（図８）を実行する。
【００９３】
次いで、第１所定数のチャンネルに対するループＢの処理が終了すると、ＣＰＵ１８１は、判定プログラム１８３３を実行して、チャンネルマップ１７２に第２所定数以上のチャンネルに対応する周波数データ（中心周波数Ｃ）が記憶されているか否かを判定する（ステップＳ５０）。
【００９４】
ステップＳ５０で、チャンネルマップ１７２に第２所定数以上のチャンネルに対応する周波数データ（中心周波数Ｃ）が記憶されていると判断すると（ステップＳ５０；Ｙｅｓ）、ＣＰＵ１８１は、ステップＳ５８の処理に移行する。
【００９５】
一方、ステップＳ５０で、チャンネルマップ１７２に第２所定数以上のチャンネルに対応する周波数データ（中心周波数Ｃ）が記憶されていないと判断すると（ステップＳ５０；Ｎｏ）、ＣＰＵ１８１は、報知制御プログラム１８３５を実行して、ＯＳＤ回路１５を介して、全ての受信方式でのオートスキャンが失敗した旨や、チューナ１２とアンテナ１１やＣＡＴＶ回線（図示省略）との接続確認要求などを出力装置３（映像表示部３２）に報知させ（ステップＳ５１）、本処理を終了する。
【００９６】
また、ステップＳ３２で、ステップＳ３１で指定された一の受信方式が受信方式「地上波放送」であると判断すると（ステップＳ３２；Ｙｅｓ）、ＣＰＵ１８１は、受信方式「地上波放送」を、ＲＡＭ１８２内の「設定する受信方式」記憶領域に設定する（ステップＳ５２）。
【００９７】
次いで、ＣＰＵ１８１は、第１所定数のチャンネルに対して、ループＣの処理を行う（ステップＳ５３〜Ｓ５５）。
具体的には、ループＣの処理では、ＣＰＵ１８１は、周波数データ初期設定処理（図８）を実行する。
【００９８】
次いで、第１所定数のチャンネルに対するループＣの処理が終了すると、ＣＰＵ１８１は、判定プログラム１８３３を実行して、チャンネルマップ１７２に第２所定数以上のチャンネルに対応する周波数データ（中心周波数Ｃ）が記憶されているか否かを判定する（ステップＳ５６）。
【００９９】
ステップＳ５６で、チャンネルマップ１７２に第２所定数以上のチャンネルに対応する周波数データ（中心周波数Ｃ）が記憶されていないと判断すると（ステップＳ５６；Ｎｏ）、ＣＰＵ１８１は、報知制御プログラム１８３５を実行して、ＯＳＤ回路１５を介して、受信方式「地上波放送」でのオートスキャンが失敗した旨や、チューナ１２とアンテナ１１との接続確認要求などを出力装置３（映像表示部３２）に報知させ（ステップＳ５７）、本処理を終了する。
【０１００】
一方、ステップＳ５６で、チャンネルマップ１７２に第２所定数以上のチャンネルに対応する周波数データ（中心周波数Ｃ）が記憶されていると判断すると（ステップＳ５６；Ｙｅｓ）、ＣＰＵ１８１は、ループＡ、ループＢ又はループＣの処理を行っていない、第１所定数のチャンネル以外の残りのチャンネルに対して、ループＤの処理を行う（ステップＳ５８〜Ｓ６０）。
具体的には、ループＤの処理では、ＣＰＵ１８１は、周波数データ初期設定処理（図８）を実行する。
【０１０１】
次いで、残りのチャンネルに対してループＤの処理が終了すると、ＣＰＵ１８１は、本処理を終了する。
【０１０２】
以上説明した本発明のテレビジョン受像機１によれば、チューナ１２によって、ＴＶ放送信号を受信することができ、全周波数データテーブル１７１によって、ＴＶ放送信号の受信方式毎のチャンネルの周波数データ（中心周波数Ｃ）を記憶することができ、操作部１６と、チャンネルマップ１７２と、判断プログラム１８３１を実行したＣＰＵ１８１と、予測プログラム１８３２を実行したＣＰＵ１８１と、判定プログラム１８３３を実行したＣＰＵ１８１と、通信制御プログラム１８３４を実行したＣＰＵ１８１と、報知制御プログラム１８３５と、によって、チャンネル毎に、チューナ１２により受信されるテレビジョン放送信号の周波数データの設定を行うことができる。
【０１０３】
具体的には、ユーザによる操作部１６の操作によって、一の受信方式を指定することができ、判断プログラム１８３１を実行したＣＰＵ１８１によって、一のチャンネルが選局されると、全周波数データテーブル１７１に記憶されたユーザによる操作部１６の操作により指定された一の受信方式における周波数データテーブル中の周波数データ（中心周波数Ｃ）のうち、当該一のチャンネルに対応する周波数データ（中心周波数Ｃ）を設定して、当該周波数データ（中心周波数Ｃ）に応じた周波数帯域Ｂ内で、チューナ１２による当該一のチャンネルに対応するＴＶ放送信号の受信が成功したか否かを判断することができ、チャンネルマップ１７２によって、判断プログラム１８３１を実行したＣＰＵ１８１によりＴＶ放送信号の受信が成功したと判断された場合に、当該周波数データ（中心周波数Ｃ）を、当該一のチャンネルに対応する周波数データ（中心周波数Ｃ）として記憶することができ、予測プログラム１８３２を実行したＣＰＵ１８１によって、判断プログラム１８３１を実行したＣＰＵ１８１によりＴＶ放送信号の受信が成功しなかったと判断された場合に、当該周波数データ（中心周波数Ｃ）に応じた周波数帯域Ｂ内でのＴＶ放送信号の受信感度の傾向から、ＴＶ放送信号の受信が成功する受信方式を予測することができ、判定プログラム１８３３を実行したＣＰＵ１８１によって、一の受信方式でのオートスキャンが第１所定数のチャンネルに対して実行された段階で、チャンネルマップ１７２に第２所定数以上のチャンネルに対応する周波数データ（中心周波数Ｃ）が記憶されているか否かを判定することができ、通知制御プログラム１８３４を実行したＣＰＵ１８１によって、ＯＳＤ回路１５を介して、判定プログラム１８３３を実行したＣＰＵ１８１によりチャンネルマップ１７２に第２所定数以上のチャンネルに対応する周波数データ（中心周波数Ｃ）が記憶されていないと判定された場合に、予測プログラム１８３２を実行したＣＰＵ１８１により予測された受信方式における周波数データ（中心周波数Ｃ）が、判断プログラム１８３１を実行したＣＰＵ１８１により設定される旨を出力装置３（映像表示部３２）に通知させることができ、ユーザによる操作部１６の操作によって、通知制御プログラム１８３４を実行したＣＰＵ１８１により制御された出力装置３による通知に応答して、判断プログラム１８３１を実行したＣＰＵ１８１による予測プログラム１８３２を実行したＣＰＵ１８１により予測された受信方式における周波数データ（中心周波数Ｃ）の設定を了承するか否かを指定することができ、報知制御プログラム１８３５を実行したＣＰＵ１８１によって、ＯＳＤ回路１５を介して、全ての受信方式でのオートスキャンが第１所定数のチャンネルに対して実行された段階で、チャンネルマップ１７２に第２所定数以上のチャンネルに対応する周波数データ（中心周波数Ｃ）が記憶されていない場合には、その旨を出力装置３（映像表示部３２）に報知させることができる。
【０１０４】
そして、判断プログラム１８３１を実行したＣＰＵ１８１は、判定プログラム１８３３を実行したＣＰＵ１８１によりチャンネルマップ１７２に第２所定数以上のチャンネルに対応する周波数データ（中心周波数Ｃ）が記憶されていないと判定され、その後、ユーザによる操作部１６の操作により了承すると指定された場合に、全周波数データテーブル１７１に記憶された予測プログラム１８３２を実行したＣＰＵ１８１により予測された受信方式における周波数データテーブル中の周波数データ（中心周波数Ｃ）のうち、当該一のチャンネルに対応する周波数データ（中心周波数Ｃ）を設定して、再度、ＴＶ放送信号の受信が成功したか否かを判断することができる。
【０１０５】
すなわち、一の受信方式を設定して行う最初のオートスキャンで、ＴＶ放送信号の受信が成功しなかった場合には、当該オートスキャン時に予測した受信方式を設定して、再度、オートスキャンを行うことができる。したがって、ＴＶ放送信号の受信が成功するまで、やみくもに受信方式を設定してオートスキャンを繰り返す必要がなくなって、迅速に、且つ、確実に、ＴＶ放送信号の周波数データを初期設定することができる。
【０１０６】
また、一の受信方式でのオートスキャンを全チャンネルのうちの第１所定数のチャンネルに対して実行した段階で、当該一の受信方式が正しかったか否かを判定することができるため、全チャンネルに対してオートスキャンを実行する場合よりも、誤りに早く対処することができる。
【０１０７】
また、実際にＴＶ放送信号の受信に成功したと判断されたチャンネル数が、例えば、正しく受信方式を設定した際にＴＶ放送信号の受信に成功すると予定されるチャンネル数（第２所定数）以上であるか否かを判定することによって、当該一の受信方式が正しかったか否かを判定することができるため、偶然に成功したと判断されたものを排除することができる。したがって、より確実に、ＴＶ放送信号の周波数データを初期設定することができる。
【０１０８】
また、ユーザは、テレビジョン受像機１を設置した地域が何れの受信方式に対応するか知っている場合が多いが、そのユーザにより指定された一の受信方式を設定することができるため、フルオートでオートスキャンする場合よりも、迅速にＴＶ放送信号の周波数データ（中心周波数Ｃ）を初期設定できる可能性が高く、また、仮にユーザにより指定された受信方式が正しくなかったとしても、再度のオートスキャンによって、ＴＶ放送信号の周波数データを初期設定することができる。
【０１０９】
また、ユーザは、再度のオートスキャンを行う際に設定される他の受信方式を知ることができ、ユーザは、了承する場合にのみ当該再度のオートスキャンを行わせることができる。したがって、一の受信方式を設定してＴＶ放送信号の受信に成功しない原因として、例えば、チューナ１２と、アンテナ１１やＣＡＴＶ回線（図示省略）との接続不良等が考えられるが、ユーザは、テレビジョン受像機からの通知により、オートスキャンの状況を把握することができることとなって、その後の対応を容易に判断することができる。
【０１１０】
また、全ての受信方式でのオートスキャンを第１所定数のチャンネルに対して実行した段階で、実際にテレビジョン放送信号の受信に成功したと判断されたチャンネル数が、例えば、正しく受信方式を設定した際にテレビジョン放送信号の受信に成功すると予定されるチャンネル数（第２所定数）以上でない場合には、その旨をユーザに報知することができる。したがって、全の受信方式を設定してＴＶ放送信号の受信に成功しない原因として、例えば、チューナ１２と、アンテナ１１やＣＡＴＶ回線（図示省略）との接続不良等が考えられるが、ユーザは、テレビジョン受像機からの報知により、オートスキャンの状況を把握することができることとなって、その後の対応を容易に判断することができる。
【０１１１】
なお、本発明は、上記した実施の形態のものに限るものではなく、その要旨を逸脱しない範囲で適宜変更可能である。
最初のオートスキャンを行う際、ユーザによる操作部１６の操作により指定された一の受信方式を設定するようにしたが、例えば、自動で選択した一の受信方式を設定するようにしてもよい。
【図面の簡単な説明】
【０１１２】
【図１】本発明にかかるテレビジョン受像機の機能的構成を示す図である。
【図２】テレビジョン放送信号の受信が成功したか否かの判断の仕方について説明するための図である。
【図３】本発明にかかるテレビジョン受像機により受信されるＣＡＴＶ放送に関する受信方式のテレビジョン放送信号を説明するための図である。
【図４】受信方式「ＣＡＴＶ放送−ＨＲＣ」を設定した際の、テレビジョン放送信号の受信が成功する受信方式の予測の仕方について説明するための図である。
【図５】受信方式「ＣＡＴＶ放送−ＳＴＤ」を設定した際の、テレビジョン放送信号の受信が成功する受信方式の予測の仕方について説明するための図である。
【図６】受信方式「ＣＡＴＶ放送−ＩＲＣ」を設定した際の、テレビジョン放送信号の受信が成功する受信方式の予測の仕方について説明するための図である。
【図７】本発明にかかるテレビジョン受像機による周波数データの初期設定又は予測に関する処理について説明するためのフローチャートである。
【図８】本発明にかかるテレビジョン受像機による周波数データの初期設定に関する処理について説明するためのフローチャートである。
【図９】本発明にかかるテレビジョン受像機によるオートスキャンに関する第１処理を説明するためのフローチャートである。
【図１０】本発明にかかるテレビジョン受像機によるオートスキャンに関する第２処理を説明するためのフローチャートである。
【図１１】本発明にかかるテレビジョン受像機によるオートスキャンに関する第３処理を説明するためのフローチャートである。
【図１２】本発明にかかるテレビジョン受像機によるオートスキャンに関する第４処理を説明するためのフローチャートである。
【符号の説明】
【０１１３】
１  テレビジョン受像機
１２  チューナ（受信手段）
１６  操作部（オートスキャン手段、指定手段、了承指定手段）
１７１  全周波数データテーブル（周波数データ記憶手段）
１７２  チャンネルマップ（オートスキャン手段、記憶手段）
１８１  ＣＰＵ（オートスキャン手段、判断手段、予測手段、判定手段、通知制御手段、報知制御手段）
１８３１  判断プログラム（オートスキャン手段、判断手段）
１８３２  予測プログラム（オートスキャン手段、予測手段）
１８３３  判定プログラム（オートスキャン手段、判定手段）
１８３４  通知制御プログラム（オートスキャン手段、通知制御手段）
１８３５  報知制御プログラム（オートスキャン手段、報知制御手段）
Ｂ  周波数帯域
Ｃ  中心周波数（周波数データ）
【図１】
2007288332.tif 000003
【図２】
2007288332.tif 000004
【図３】
2007288332.tif 000005
【図４】
2007288332.tif 000006
【図５】
2007288332.tif 000007
【図６】
2007288332.tif 000008
【図７】
2007288332.tif 000009
【図８】
2007288332.tif 000010
【図９】
2007288332.tif 000011
【図１０】
2007288332.tif 000012
【図１１】
2007288332.tif 000013
【図１２】
2007288332.tif 000014